(57)【要約】【課題】乗客の履物がスカートガードパネルに対して接触するような状況になっても、その履物がスカートガードパネルとステップとの間に挟み込まれること自体を防止して不測の危険を回避することができるマンコンベアの安全装置を提供する。【解決手段】無限循環移動するステップ１と、ステップ１の両側にそのステップ１の側面と対向して配置されたスカートガードパネル７と、スカートガードパネル７に設けられ、ステップ１の移動方向に沿って並列して並び、かつステップ１の側面が近接して対向する複数の回転自在なローラ１７とを備え、ステップ１に乗った乗客の履物がローラ１７に接触したときにそのローラ１７が回転する。各ローラ１７は、ステップ１の移動方向と直角の軸回り方向に回転する。【選択図】    図２
2011195228.tif 000002
【特許請求の範囲】
【請求項１】
無限循環移動するステップと、
前記ステップの両側にそのステップの側面と対向して配置されたスカートガードパネルと、
前記スカートガードパネルに設けられ、前記ステップの移動方向に沿って並列して並び、かつ前記ステップの側面が近接して対向する複数の回転自在なローラと、
を具備することを特徴とするマンコンベア。
【請求項２】
前記各ローラは、前記ステップの移動方向と直角の軸回り方向に回転することを特徴とする請求項１に記載のマンコンベア。
【請求項３】
前記ローラに加わる圧力を検知する圧力検知手段、及びその圧力検知手段が所定以上の圧力を検知したときに動作する警報手段をさらに備えることを特徴とする請求項１に記載のマンコンベア。
【発明の詳細な説明】
【技術分野】
【０００１】
この発明は、エスカレータや動く歩道のように、無限循環移動するステップの上に乗った乗客を一方向に搬送するマンコンベアに係り、特にその乗客の履物がステップとそのステップと隣接するスカートガードパネルとの間に挟み込まれる危険を防止するマンコンベアの安全装置に関する。
【背景技術】
【０００２】
エスカレータや動く歩道のようなマンコンベアにおいては、無限循環移動するステップの両側にそのステップと隣接してスカートガードパネルが配置されている。そして、ステップの上に乗った乗客がそのステップと共に移動するときに、乗客の履物がスカートガードパネルに接触し、その接触による摩擦で履物がスカートガードパネルとステップとの間の隙間内に挟み込まれる恐れがある。特に、履物が比較的軟質のゴム靴やサンダルのような場合により挟み込まれやすい。
そこで、特開平７−２０６３５６号公報（特許文献１）では、ステップの表面のクリートのうちの両側の一部のクリートをステップの移動に応じて上方にせり上げ、そのせり上げの動作で乗客に注意を喚起するようにしている。
【０００３】
また、特開２００１−２４７２８６公報（特許文献２）では、乗客の履物がスカートガードパネルに接触したときにそのスカートガードパネルを振動させて注意を喚起し、危険を回避するようにしている。
【先行技術文献】
【特許文献】
【０００４】
【特許文献１】特開平７−２０６３５６号公報
【特許文献２】特開２００１−２４７２８６公報
【発明の概要】
【発明が解決しようとする課題】
【０００５】
しかしながら、特許文献１、２においては、乗客の履物がスカートガードパネルに接触する恐れがあるときや実際に接触したときに、その乗客に注意を喚起しているに過ぎない。
したがって、乗客がその注意に気付かなかったときや無視したときには、履物とスカートガードパネルとの摩擦で履物がステップとスカートガードパネルとの間に挟み込まれて不測の危険を招く恐れがある。
【０００６】
この発明はこのような点に着目してなされたもので、その目的とするところは、乗客の履物がスカートガードパネルに対して接触するような状況となっても、その履物がスカートガードパネルとステップとの間に挟み込まれること自体を防止して不測の危険を回避することができるマンコンベアの安全装置を提供することにある。
【課題を解決するための手段】
【０００７】
このような課題を解決するために、請求項１の発明は、無限循環移動するステップと、前記ステップの両側にそのステップの側面と対向して配置されたスカートガードパネルと、前記スカートガードパネルに設けられ、前記ステップの移動方向に沿って並列して並び、かつ前記ステップの側面が近接して対向する複数の回転自在なローラとを具備することを特徴としている。
【０００８】
請求項２の発明では、前記各ローラが、前記ステップの移動方向と直角の軸回り方向に回転することを特徴としている。
【０００９】
請求項３の発明では、前記ローラに加わる圧力を検知する圧力検知手段、及びその圧力検知手段が所定以上の圧力を検知したときに動作する警報手段をさらに備えることを特徴としている。
【発明の効果】
【００１０】
この発明によれば、乗客の履物がスカートガードパネルに対して接触するような状況となっても、その履物がスカートガードパネルとステップとの間に挟み込まれること自体を防止して不測の危険を回避することができる。
【図面の簡単な説明】
【００１１】
【図１】この発明の一実施形態に係るエスカレータの全体の斜視図。
【図２】そのエスカレータの要部の側面図。
【図３】そのエスカレータの要部の断面図。
【発明を実施するための形態】
【００１２】
以下、この発明の一実施形態について図面を参照して説明する。
【００１３】
図１にはマンコンベアの一例であるエスカレータの全体の外観を示してある。このエスカレータは、複数のステップ１をチェーン（図示せず）を介して無端状に連結してなるステップ列２を備え、このステップ列２が建屋の下階の乗降口３と上階の乗降口４との間に掛け渡され、駆動源（図示せず）による動力でその乗降口３，４間で無限循環移動する。
【００１４】
ステップ列２の両側部には欄干５が設けられ、これら欄干５の縁部にステップ列２と同期して無限循環移動する手すりベルト６が装着されている。また、両欄干５の下部には例えば鋼板からなるスカートガードパネル７が配置され、これらスカートガードパネル７にステップ列２における各ステップ１の両側面が近接して対向し、各ステップ１がスカートガードパネル７の長手方向に沿って移動する。
【００１５】
各ステップ１は、図２に示すように、フレーム８と、このフレーム８の上に水平に取り付けられた踏面クリート９と、フレーム８の後面に取り付けられたライザ１０とを備え、踏面クリート９の上に乗客が乗り込むことにより、ステップ１と一体的にその乗客が所定方向に搬送される。フレーム８の左右両側の前部及び後部には、ステップ１の移動用の車輪１１が回転自在に取り付けられている。
【００１６】
ステップ１が下階の乗降口３から上階の乗降口４に向って移動するときにおいて、乗降口３の近辺の図２に示すアプローチ部Ａの区間では、幾つかのステップ１がその各踏面クリート９の表面をほぼ同じレベルに保ってほぼ水平に移動し、アプローチ部Ａの区間を過ぎて傾斜部Ｂの区間に移行する際に、先行側のステップ１がせり上がるように上昇して後方側のステップ１との間に段差を形成し、その段差状の状態で上階の乗降口４に向って移動する。そして乗降口４の近辺のアプローチ部に達する際に先行側のステップ１に対して後方側のステップ１が上昇してその後方側のステップ１と先行側のステップ１とがぼ同じレベルに並んで水平に移動する。
【００１７】
ステップ１の両側に配置されたスカートガードパネル７には、その長手方向に沿って複数の開口１２が形成され、これら開口１２にそれぞれローラ装置１３が設けられている。
ローラ装置１３は、図３に示すように、スカートガードパネル７の裏面において、開口１２の上下側に位置して設けられた断面Ｌ形の一対の支持板１４を備えている。各支持板１４はスカートガードパネル７に取り付けられた複数のスタットボルト１５と、これらスタットボルト１５に螺合する複数のナット１６とによりスカートガードパネル７に締結固定されている。
【００１８】
一対の支持板１４は、スカートガードパネル７の長手方向に沿って延び、かつ互いに対向し、その対向間に複数の合成樹脂製のローラ１７が並列して設けられている。各ローラ１７はその中心軸に支軸１８を有し、これら支軸１８の両端部が前記一対の支持板１４に回転自在に支持されている。各支軸１８はスカートガードパネル７の長手方向と直角の方向に延び、各ローラ１７がこれら支軸１８の軸回り方向に回転する。
【００１９】
各ローラ１７は、スカートガードパネルの７の開口１２に面してスカートガードパネル７の裏面側に配置されているが、各ローラ１７の周面の一部が開口１２を通してスカートガードパネル７の表面側に僅かな寸法で突出し、その突出部にステップ１の側面上部すなわち踏面クリート９の左右側の縁部が近接して対向している。
スカートガードパネル７の裏面側には、各ローラ１７と対向して圧力検知手段としての圧力センサ２０が設けられている。また、スカートガードパネル７の適宜位置、例えば乗降口３，４の近傍位置に警報手段としてのブザー２１が設けられている。そして、前記圧力センサ２０が所定以上の圧力を検知したときに、その信号に基づいて前記ブザー２１が鳴動するようになっている。  
このようなローラ装置１３は、ステップ１の両側の各スカートガードパネル７にその長手方向つまりステップ１の移動方向に沿って連続的に並ぶように配設されている。
【００２０】
次に作用について説明する。
【００２１】
ステップ１が下階の乗降口３から上階の乗降口４に向って上昇移動するエスカレータの運転時に、乗客はその下階の乗降口３からステップ１の上に乗り込み、そのステップ１と共に上階側に移動する。
【００２２】
乗客がステップ１の上に乗り込んだとき、あるいは移動途中に、ステップ１の上から靴やサンダルのような履物をスカートガードパネル７の配置側に踏み出すようなことがあると、その履物がスカートガードパネル７におけるローラ装置１３のローラ１７に接触する。そしてこの接触によりローラ１７が回転する。ローラ１７はステップ１の移動方向に並列して並んでいるから、乗客の履物はその並列するローラ１７に順々に接触し、そのローラ１７が回転する。このため、履物とローラ１７との間にほとんど摩擦が生じることがなく、したがって履物がスカートガードパネル７とステップ１との間に挟み込まれるようなことがなく、安全にエスカレータを利用することができる。
【００２３】
履物がローラ１７に強く接触してローラ１７に所定以上の圧力が加わったときには、その圧力が圧力センサ２０により検知され、この検知に応じてブザー２１が鳴動し、そのブザー音で乗客に注意が喚起され、この注意喚起により乗客が足を引っ込めるようになり、履物の押し付け過ぎによる危険が回避される。なお、圧力センサ２０が所定以上の圧力を検知したときに、ブザー２１に代えて、あるいはブザー２１と併せて、スピーカーによる音声で警告を乗客に発するようにしてもよい。
【００２４】
以上の説明は、ステップ１が下階から上階に移動する場合であるが、ステップ１が上階から下階に移動し、乗客が上階側の乗降口４からステップ１に乗り込んで下階側に移動する場合においても、前記と同様の作用効果が得られる。
また、この発明は、ステップが上下方向に段差状をなして移動するエスカレータに限らず、ステップがほぼ水平方向に移動する動く歩道などのマンコンベアにおいても、同様に適用することができる。
【符号の説明】
【００２５】
１…ステップ
２…ステップ列
５…欄干
７…スカートガードパネル
８…フレーム
９…踏面クリート
１０…ライザ
１１…車輪
１２…開口
１３…ローラ装置
１４…支持板
１７…ローラ
１８…支軸
２０…圧力センサ
２１…ブザー
【図１】
2011195228.tif 000003
【図２】
2011195228.tif 000004
【図３】
2011195228.tif 000005